(57)【要約】【課題】遮蔽物に起因して人体が不存在であると誤って検出することを防止し、人が居る状態での消灯を回避する。【解決手段】人がトイレ〔室内（広間）〕内に入ると、その人体の存在を人感センサが検出（検知）し、点灯信号を主リモコンから出力してランプを点灯するとともに点灯保持時間計測用タイマを起動する。設定時間ごとに人感センサによって人体の存在・不存在を検出し、点灯保持時間内に点灯信号を受けるに伴って点灯保持時間計測用タイマをリセットして起動し、点灯状態を維持する。室内の個室〔室内（個室）〕に人が入ると、その人体の存在を人感センサ１１では検出できなくなるが、ドア３が閉められて鍵９が施錠されるに伴ってスイッチ１９が閉じ、補助点灯信号を補助リモコン１０から出力してランプ５を点灯するとともに点灯状態を維持する。【選択図】図３
2007026973.tif 000002
【特許請求の範囲】
【請求項１】
特定空間内を照明するランプと、前記特定空間内に設けられて前記特定空間内での人体の存在を検出して点灯信号を出力する人感センサと、前記人感センサからの点灯信号に応答して前記ランプを点灯するとともに前記特定空間内での人体の不存在に応答して前記ランプを消灯する照明制御部とを備えた照明システムにおいて、
前記特定空間内の前記人感センサによる非検出領域に設けられて前記非検出領域内での人体の存在を検出して補助点灯信号を出力する補助センサを備え、前記照明制御部を、前記補助センサからの補助点灯信号にも応答して前記ランプを点灯するように構成したことを特徴とする照明システム。
【請求項２】
請求項１に記載の照明システムにおいて、非検出領域が鍵を付設した開閉扉を備えるものであり、補助センサが、前記鍵が施錠状態か開錠状態かを判別して補助点灯信号を出力するものである照明システム。
【請求項３】
請求項１または２に記載の照明システムにおいて、補助センサから照明制御部に無線送信する補助点灯信号として微弱無線を用いるものである照明システム。
【発明の詳細な説明】
【技術分野】
【０００１】
本発明は、特定空間内での人の存在を人感センサで検出し、人が存在しているときに自動的にランプを点灯できるように構成した照明システムに関する。
【背景技術】
【０００２】
この種のものとしては、従来、次のようなものがあった。特定空間内にランプが設けられるとともに、その特定空間内での人体の存在を検出する赤外線センサ部が設けられている。赤外線センサ部では、人体の放射する赤外線を検出して人体検出信号（点灯信号）を開閉制御部に出力するように構成されている。開閉制御部では、人体検出信号などに応じて、人が近づくと自動的に負荷開閉部をオンすることにより、商用電源を供給して点灯し、人が遠ざかると自動的に負荷開閉部をオフすることにより、商用電源の供給を遮断して消灯するように構成されている（特許文献１参照）。
【特許文献１】特開２００１−２３７０８５号公報
【発明の開示】
【発明が解決しようとする課題】
【０００３】
しかしながら、従来例の場合、例えば、手洗い場と、ドアで仕切られた個室とを有するトイレであるとか、ロッカーが並べられたロッカールームなどのように、ドアやロッカーといった遮蔽物がある場所では、遮蔽物によって、センサによる人体検出領域から外れた非検出領域が生じてしまい、人が居るにもかかわらず、センサで人体を検出できなくて消灯される欠点があった。
【０００４】
本発明は、このような事情に鑑みてなされたものであって、遮蔽物に起因して人体が不存在であると誤って検出することを防止し、人が居る状態での消灯を回避できるようにすることを目的とする。
【課題を解決するための手段】
【０００５】
請求項１に係る発明は、上述のような目的を達成するために、特定空間内を照明するランプと、前記特定空間内に設けられて前記特定空間内での人体の存在を検出して点灯信号を出力する人感センサと、前記人感センサからの点灯信号に応答して前記ランプを点灯するとともに前記特定空間内での人体の不存在に応答して前記ランプを消灯する照明制御部とを備えた照明システムにおいて、前記特定空間内の前記人感センサによる人体検出領域から外れた非検出領域に設けられて前記非検出領域内での人体の存在を検出して補助点灯信号を出力する補助センサを備え、前記照明制御部を、前記補助センサからの補助点灯信号にも応答して前記ランプを点灯するように構成したことを特徴としている。
【０００６】
また、請求項２に係る発明は、請求項１に記載の照明システムにおいて、非検出領域が鍵を付設した開閉扉を備えるものであり、補助センサを、前記鍵が施錠状態か開錠状態かを判別して補助点灯信号を出力するように構成している。
【０００７】
また、請求項３に係る発明は、請求項１または２に記載の照明システムにおいて、補助センサから照明制御部に無線送信する補助点灯信号として微弱無線を用いるように構成している。
【０００８】
ここで、微弱無線とは、発射する電波が著しく微弱で、発信位置から３ｍの距離において、電界強度が電波法施行規則第６条に規定される値以下のもの（例えば、周波数３２２ＭＨｚ以下で指定電界強度５００μＶ／ｍ）をいう。なお、周波数の規定は無いが、一般的には３００〜３２２ＭＨｚの範囲で用いられる場合が多い。
【発明の効果】
【０００９】
請求項１に係る発明の照明システムによれば、特定空間内の人感センサで検出できない非検出領域での人体検出を補助センサによって行い、人感センサで人体を検出していなくても補助センサで人体を検出しているときにはランプを点灯することができる。したがって、遮蔽物に起因して人体が不存在であると誤って検出することを防止し、人が居る状態での不測の消灯を回避できる。
【００１０】
また、請求項２に係る発明の照明システムによれば、特定空間が、例えばトイレで、手洗い場と、非検出領域として、開閉扉としてのドアで仕切られた個室とを有する場合に、そのドアの鍵が施錠状態にあるときには、中に人が入っている状態であることに着目し、施錠状態を判別して補助点灯信号を出力し、ランプを消灯しないようにできる。また、特定空間がロッカールームで、ロッカーに遮られて非検出領域が生じている場合に、ロッカーの開閉扉の鍵が開錠状態にあるときには、ロッカーの近くに人が存在する状態であることに着目し、開錠状態を判別して補助点灯信号を出力し、ランプを消灯しないようにできる。
【００１１】
また、請求項３に係る発明の照明システムによれば、微弱無線を用いることにより、外部にノイズとして悪影響を及ぼすことが無く、また、電波法による制限を受けないために施工が簡単でシステムを安価に構築できる。
【発明を実施するための最良の形態】
【００１２】
次に、本発明の実施例を図面に基づいて詳細に説明する。図１は、本発明に係る照明システムの実施例１の配置構成を示す全体平面図、図２は実施例１のシステム構成を示すブロック図であり、比較的広い手洗い場１を有する特定空間としてのトイレ２内に、開閉扉としてのドア３で仕切られた個室４が設けられ、そのトイレ２内の天井に、トイレ２内を照明するランプ５を備えた照明器具６が設けられている。トイレ２の入口７の近くに主リモコン８が設けられ、個室４のドア３の鍵９の近くに補助リモコン１０が設けられている。
【００１３】
主リモコン８には、人感センサ１１、制御部１２、無線送信部１３および電源部１４が備えられている。人感センサ１１は、トイレ２内の人体検出領域Ｓ内での赤外線の変化（人体の移動による温度変化）により人体の存在を検出して点灯信号を出力し、この点灯信号を無線送信部１３を通じて赤外線または電波による無線信号として照明器具６に送信するようになっている。一度点灯信号を出力した後には、設定時間ごとに人体が存在しているかどうかを検出し、人体の存在を検出したときに点灯信号を出力するようになっている。
【００１４】
照明器具６には、ランプ５の他に、無線受信部１５と制御部１６とから成る照明制御部１７と、電源部１８とが備えられている。照明制御部１７では、人感センサ１１からの点灯信号を無線受信部１５で受信し、それに応答して制御部１６からランプ５に点灯出力を出して通電制御し、ランプ５を点灯するようになっている。ランプ５が一度点灯した後には、点灯保持時間計測用タイマが起動し、その点灯保持時間内に点灯信号および後述する補助点灯信号を受けなければ、リセットされずに点灯保持が自動的に解除されてランプ５が消灯されるようになっている。
【００１５】
補助リモコン１０には、補助センサとしてのスイッチ１９、制御部２０、無線送信部２１および電源部２２が備えられている。スイッチ１９は、鍵９が施錠状態であることに基づいて人体検出領域Ｓから外れた非検出領域内での人体の存在を検出して補助点灯信号を出力し、この補助点灯信号を無線送信部２１を通じて赤外線または電波による無線信号として照明器具６に送信するようになっている。一度補助点灯信号を出力した後には、設定時間ごとに人体が存在しているかどうかを検出し、人体の存在を検出したときに補助点灯信号を出力するようになっている。この補助点灯信号としては、微弱無線を用いるのが好ましい。
【００１６】
照明器具６の照明制御部１７では、スイッチ１９からの補助点灯信号を無線受信部１５で受信し、それに応答して制御部１６からランプ５に点灯出力を出して通電制御し、ランプ５を点灯するようになっている。すなわち、スイッチ１９からの補助点灯信号にも応答してランプ５を点灯するようになっている。
【００１７】
上記制御動作につき、図３のタイムチャートを用いて説明する。すなわち、人がトイレ２の外（室外）に居るときには、ランプ５が消灯されている。トイレ２〔室内（広間）〕内に人が入ると、その人体の存在を人感センサ１１が検出（検知）し、点灯信号を主リモコン８から出力してランプ５を点灯するとともに点灯保持時間計測用タイマを起動する。点灯保持時間計測用タイマで設定される点灯保持時間よりも短い時間に設定された設定時間ごとに人感センサ１１によって人体の存在・不存在を検出し、点灯保持時間内に点灯信号を受けるに伴って点灯保持時間計測用タイマをリセットして起動し、点灯状態を維持する。
【００１８】
次いで、室内の個室〔室内（個室）〕に人が入ると、その人体の存在を人感センサ１１では検出できなくなるが、ドア３が閉められて鍵９が施錠されるに伴ってスイッチ１９が閉じ、補助点灯信号を補助リモコン１０から出力してランプ５を点灯するとともに点灯保持時間計測用タイマを起動する。点灯保持時間計測用タイマで設定される点灯保持時間よりも短い時間に設定された設定時間ごとに人感センサ１１によって人体の存在・不存在を検出し、点灯保持時間内に補助点灯信号を受けるに伴って点灯保持時間計測用タイマをリセットして起動し、点灯状態を維持する。
【００１９】
個室〔室内（個室）〕から出ると、鍵９が開錠され、それに伴ってスイッチ１９が開き、補助点灯信号が出力されなくなるが、トイレ２〔室内（広間）〕内に入ることになり、その人体の存在を人感センサ１１が検出（検知）し、点灯信号を主リモコン８から出力してランプ５を点灯状態に維持するとともに点灯保持時間計測用タイマを起動する。前述同様に設定時間ごとに人感センサ１１によって人体の存在・不存在を検出し、点灯保持時間内に点灯信号を受けるに伴って点灯保持時間計測用タイマをリセットして起動し、点灯状態を維持する。
【００２０】
その後、トイレ２から外（室外）に出ると、点灯信号および補助点灯信号のいずれも出力されなくなり、点灯保持時間が経過するに伴い、点灯保持時間計測用タイマにより消灯信号が出力されてランプ５を消灯する。
【００２１】
図４は、本発明に係る照明システムの実施例２の配置構成を示す全体平面図であり、実施例１と異なるところは、次の通りである。
【００２２】
すなわち、特定空間としてのロッカールーム３１内にロッカー３２が並べて設置され、ロッカー３２の対向する空間部分が、主リモコン８の人感センサ１１（図２参照）による赤外線がロッカー３２によって遮られて死角となる非検出領域になっている。人感センサ１１では、ロッカー３２の入口３３からロッカールーム３１内に人が入ったことを検出し、点灯信号を主リモコン８から出力してランプ５を点灯するとともに点灯保持時間計測用タイマを起動し、その点灯保持時間内に点灯信号を受けるに伴って点灯保持時間計測用タイマをリセットして起動し、点灯状態を維持するようになっている。
【００２３】
ロッカー３２に開閉扉３３が設けられるとともに、開閉扉３３に鍵（図２の９に相当する）が設けられ、また、ロッカー３２側において補助リモコン１０（図２参照）が設けられ、前述実施例１とは逆に、鍵の開錠状態であることに基づいて人体検出領域Ｓから外れた非検出領域内での人体の存在を検出して補助点灯信号を出力するようになっている。他の構成は実施例１と同じであり、同一図番を付すことにより、その説明は省略する。
【００２４】
制御動作においては、図５のタイムチャートに示すように、実施例１とは逆にロッカー３２の鍵の開錠状態を検出するに伴い、人体検出領域Ｓから外れた非検出領域〔室内（ロッカー）〕内での人体の存在を検出して補助点灯信号を出力し、この補助点灯信号を無線送信部２１を通じて赤外線または電波による無線信号として照明器具６に送信し、主リモコン８からの点灯信号が受信されなくても、点灯状態を継続するようになっている。他の動作は実施例１と同じである。
【００２５】
図６は、本発明に係る照明システムの実施例３のシステム構成を示すブロック図であり、実施例１と異なるところは、次の通りである。
【００２６】
すなわち、トイレ（室内）の照度を測定する照度センサ４１と、閾値となる点灯照度を設定する点灯照度設定スイッチ４２とが設けられ、制御部１２において、測定照度と設定点灯照度とを比較し、測定照度と設定点灯照度よりも大きいとき、すなわち、明るいときには、点灯信号を出力しないように構成されている。また、照明器具６の制御部１６において、点灯信号と補助点灯信号の両方を受けたときにのみ、ランプ５に点灯出力を出して点灯するように構成されている。他の構成は実施例１と同じであり、同一図番を付すことにより、その説明は省略する。
【００２７】
本発明としては、実施例２のロッカールーム３１に適用する場合に、実施例３の変形例として、補助リモコン１０に強制点灯スイッチを設けるとともに、その強制点灯スイッチを人為操作でＯＮにした状態では、補助点灯信号のみによってもランプ５に点灯出力を出して点灯するように構成しても良い。これにより、ロッカールーム３１内がランプ５の消灯状態で明るくても、ロッカー３２の近辺ではロッカー３２に遮られて暗いような場合に、ロッカー３２の使用者がランプ５を強制的に点灯でき、実用上便利である。
【００２８】
上記実施例では、人体検出領域Ｓから外れた非検出領域内に人体が存在することを検出するのに、鍵９が開錠状態にあるか施錠状態にあるかをスイッチ１９で判別するようにしているが、非検出領域内での人体の存在を赤外線センサなどで検出するように構成しても良く、それらをして補助センサと称する。また、上記実施例では、個室４やロッカー３２それぞれに補助リモコン１０を設けるようにしているが、個室４やロッカー３２の複数個を含んだ非検出領域内での人体の存在を赤外線センサなどで検出するように構成し、補助リモコン１０の個数を減少できるようにしても良い。
【図面の簡単な説明】
【００２９】
【図１】本発明に係る照明システムの実施例１の配置構成を示す全体平面図である。
【図２】実施例１のシステム構成を示すブロック図である。
【図３】実施例１の制御動作の説明に供するタイムチャートである。
【図４】本発明に係る照明システムの実施例２の配置構成を示す全体平面図である。
【図５】実施例２の制御動作の説明に供するタイムチャートである。
【図６】本発明に係る照明システムの実施例３のシステム構成を示すブロック図である。
【符号の説明】
【００３０】
２…トイレ（特定空間）
３…ドア（開閉扉）
４…個室（非検出領域）
５…ランプ
９…鍵
１１…人感センサ
１７…照明制御部
１９…スイッチ（補助センサ）
３１…ロッカールーム（特定空間）
Ｓ…人体検出領域
【図１】
2007026973.tif 000003
【図２】
2007026973.tif 000004
【図３】
2007026973.tif 000005
【図４】
2007026973.tif 000006
【図５】
2007026973.tif 000007
【図６】
2007026973.tif 000008